(57)【要約】【課題】鋼製の起伏ゲートにおいて、起立または倒伏する際に、扉体側面の平板状水密ゴムが大きな曲げ変形を生じ、先端部が鋼製扉体の側端部と側面戸当金物との隙間に引き込まれて損傷する事故を防止しようとするものである。【解決手段】水路底に回転中心を有する鋼製扉体が起立または倒伏することにより流水の堰上げまたは放流を行なう起伏ゲートにおいて、鋼製扉体の側端部から突き出して側面戸当金物の表面に接触させて、起伏ゲートの側面の水密を形成する平板状水密ゴムの先端の側面戸当金物に接触する部分の断面形状を半円形に仕上げると同時に、平板状水密ゴムの横断面にその外形表面に沿った内側にＵ字形に補強繊維を配置することにより、起伏運動に際し側面戸当金物の表面との摩擦力により、平板状水密ゴムの先端部が鋼製扉体の側端部と側面戸当金物との隙間に引き込まれて損傷することのないよう補強した側面水密ゴムを装備したことを特徴とする起伏ゲート。【選択図】　　　　　図４
2004027769.tif 000002
【特許請求の範囲】
【請求項１】
水路底に回転中心を有する鋼製扉体が起立または倒伏することにより流水の堰上げまたは放流を行なう起伏ゲートにおいて、鋼製扉体の側端部から突き出して側面戸当金物の表面に接触させて、起伏ゲートの側面の水密を形成する平板状水密ゴムの先端の側面戸当金物に接触する部分の断面形状を半円形に仕上げると同時に、平板状水密ゴムの横断面にその外形表面に沿った内側にＵ字形に補強繊維を配置することにより、起伏運動に際し側面戸当金物の表面との摩擦力により、平板状水密ゴムの先端部が鋼製扉体の側端部と側面戸当金物との隙間に引き込まれて損傷することのないよう補強した側面水密ゴムを装備したことを特徴とする起伏ゲート。
【発明の詳細な説明】
【０００１】
【発明の属する技術分野】この発明は、水路底に回動自由に固定された鋼製扉体が起立すれば流水を堰上げ、倒伏すれば放流するよう機能する鋼製の起伏ゲートに関するものである。
【０００２】
【従来の技術】鋼製の起伏ゲートは、水路底に固定された水平な回転中心によって、鋼製扉体が起立または倒伏するものであり、鋼製扉体は長方形に作られている。したがって、図５に示すように鋼製扉体４３の側端部は鉛直な平面に沿って移動する。このため、鋼製扉体４３の側部の水密を形成するために側面戸当金物４４は平滑な平面のステンレス鋼を張り、これに常に接触するよう鋼製扉体４３の側端部から平板状の水密ゴム４１を突き出す構造が採用されてきた。
【０００３】
【発明が解決しようとする課題】このような構造の側面水密部を備えた鋼製の起伏ゲートにあっては、起立または倒伏する場合に、平板状水密ゴム４１は側面戸当金物４４の接触部から平板の表面に直角方向の摩擦力を受けるため容易に曲げ変形を生じ、先端部４２が鋼製扉体４３の側端部と側面戸当金物４４との隙間に引き込まれて損傷する事故が多く発生した。
【０００４】このため、側面水密ゴム４１と鋼製扉体４３の間にプラスチック板を介在させ、プラスチック板と側面戸当金物４４との隙間がほとんど無いよう調節する等の工夫が実施されたが、このプラスチック板の介在が漏水の原因になるなど改善の必要性が残されていた。
【０００５】
【課題を解決するための手段】この発明では、以上のように損傷しやすい側面水密ゴムの課題を解決するための手段として曲げ変形に対し強い抵抗力を有する側面水密ゴムを使用することとして、平板状水密ゴムの内部に補強繊維を組み込むことにした。すなわち、側面戸当金物に接触しつつ摺動する平板状水密ゴムの先端部は断面を半円状に仕上げたゴム板であり、かつ柔軟であって、側面戸当金物の表面によくなじんで水密を形成するとともに、耐磨耗性に優れている。
【０００６】このような平板状水密ゴムの断面に先端部の内側でＵ字形に曲げた補強繊維を組み込むと、平板状水密ゴムの幅方向の曲げに対する強度が非常に強くなり、鋼製の起伏ゲートが起伏運動を行なう際に大きな摩擦力を受けても、平板状水密ゴムの先端が鋼製扉体の側端と側面戸当金物の表面との間の隙間に引き込まれることに対する抵抗力が飛躍的に向上する。
【０００７】他方、平板状水密ゴムの長さ方向には補強繊維を組み込まないので、平板状水密ゴムの長さ方向の柔軟性、屈曲性は少しも変化がない。したがって、側面水密ゴムと下部水密ゴムとの接続部のなじみがよく、漏水の発生の少ない水密構造を構築することが可能になるのである。
【０００８】
【発明の実施の形態】以下、この発明の起伏ゲートの実施の形態を、図面に基いて詳細に説明する。
【０００９】図１ないし図５はこの発明の起伏ゲートの１実施例を示すものであり、図１は鋼製の起伏ゲートの起立状態の正面図であり、図２は鋼製の起伏ゲートの起立状態の断面図であり、図３は倒伏状態の起伏ゲートの断面図であり、図４はこの発明の水密ゴムを取り付けた鋼製扉体側端部における側面水密部の断面図であり、図５は従来例の水密ゴムを取り付けた鋼製扉体側端部における側面水密部の断面図である。
【００１０】この発明においては図４に示すごとく、鋼製扉体１の側端部の雌ネジ２に押え板３とボルト４によって強固に固定された側面水密ゴム５は先端６の断面形状を半円形に仕上げられて、側面戸当金物７の表面にほどよく接触するよう調整されている。
【００１１】このとき、側面水密ゴム５の断面内部には表面に沿った位置に補強繊維８が組み込まれ、その形状は側面水密ゴム５の先端６の内側でＵ字形に曲げてあるので、側面水密ゴム５の先端６と側面戸当金物７の表面との間に摩擦力が作用しても大きな変形が発生せず、鋼製扉体１の起伏運動が滑らかに行なわれるのである。
【００１２】図１ないし図３に鋼製の起伏ゲートの１実施例を示し、図１は鋼製扉体が起立した状態の正面図を、図２はその断面図を、図３は鋼製扉体が倒伏した状態を示す。
【００１３】図１ないし図３に示すごとく、河床のコンクリート９に並べて設置したアンカーボルト１０と固定台兼用押え板１１によって、３辺が閉じ１辺が開いた平らな長方形として製作したゴム引布製の空気袋１２の開いた辺１３を河床のコンクリート９に押え付けることによって、開いた辺１３を密閉しつつ河床のコンクリート９に固定する。
【００１４】次に、固定台兼用押え板１１の上面にボルト１４と押え板１５によって１辺を固定した定着ゴム板１６の他辺をボルト１７と押え板１８によって、鋼製扉体１の下部の上流面に固定することにより、鋼製扉体１を河床のコンクリート９に強固にかつ起伏自由に繋留すると同時に、鋼製扉体１の下部からの漏水を防止する。
【００１５】また鋼製扉体１の下端には直径が固定台兼用押え板１１の厚さとほぼ等しい直径の丸棒鋼１９を取り付けて、起伏運動に際して定着ゴム板１６に無理な変形が生じないようにする。
【００１６】さらに、空気袋１２に口金２０で接続した空気管２１をコンクリート９に埋設するなどして陸上に導き、手動弁２２、流量調整弁２３を経て空気圧縮機２４に連絡し、あるいは手動弁２５、流量調整弁２６を経て空気放出口２７に連絡する。
【００１７】このように構成した上で空気圧縮機２４で発生させた圧縮空気を流量調整弁２３、手動弁２２、空気管２１、口金２０を経て空気袋１２に送入し、鋼製扉体１を起立させた状態の起伏ゲートの断面図が図２である。下流側のアンカーボルト２８と押え板２９によって一端を固定したゴム引布製の引留帯３０の他端を鋼製扉体１の下流側上部にボルト３１と押え板３２によって固定してあるため、鋼製扉体１の起立運動は引留帯３０に作用する張力によって停止する。
【００１８】このとき、鋼製扉体１の側端部の雌ネジ２にボルト４と押え板３によって固定された側面水密ゴム５の先端６が側面戸当金物７の表面に適当な接触を保ち、側面からの漏水を防止している。
【００１９】他方、手動弁２２を閉じ、手動弁２５を開いて空気袋１２の内部の圧力を有する空気を、口金２０、空気管２１、手動弁２５、流量調整弁２６を経て、空気放出口２７から大気中に放出した結果、鋼製扉体１が倒伏した状態の起伏ゲートの断面図が図３である。
【００２０】このとき、鋼製扉体１の頭部の折曲部３３が、倒伏時に支持台３４に支持されて倒伏が完了し、空気袋１２と引留帯３０は鋼製扉体１の下に格納され、流下物に対し保護されている。
【００２１】以上のように、鋼製扉体１が起立または倒伏する起伏ゲートの側面水密部の断面図が図４に示したものであり、鋼製扉体１が起立運動するとき、側面水密ゴム５の先端６は側面戸当金物７の表面から図面の上から下方に向かう摩擦力を受け、鋼製扉体１の側端部と側面戸当金物７の隙間３５に引き込まれる危険があるけれど、図４においては側面水密ゴム５の内部に組み込んだ補強繊維８によって幅方向の曲げに対する強度が非常に強くなっているから引き込まれることがない。
【００２２】他方、図５に示すように補強繊維の組み込まれていない側面水密ゴム４４を使用した側面水密部においては、先端部４２が鋼製扉体４３と側面戸当金物４４の隙間に引き込まれて大きく変形し、先端部４２が損傷を受ける事故が生じることが多いのである。
【００２３】
【発明の効果】この発明の起伏ゲートにおいては、鋼製扉体の起立または倒伏に際し、側面水密ゴムが鋼製扉体と側面戸当金物との間の隙間に引き込まれて損傷する事故を少なくすることが可能となる。同時に側面水密ゴムが鋼製扉体と側面戸当金物との間の隙間に引き込まれた結果、鋼製扉体と側面水密ゴムとの間の摩擦力が異常に大きくなることがないので、起伏操作の確実性を向上する効果があった。
【００２４】このことは、起伏ゲートの側面水密ゴムを取替える工事の頻度を少なくする経済効果と、起伏ゲートの自重による倒伏能力を確保するために必要な鋼材の重量を軽減する経済効果や引き込まれ防止のために介在させるプラスチック板の省略による経済効果を実現するのである。
【図面の簡単な説明】
【図１】この発明の起伏ゲートの１実施例を示し、起伏ゲートが起立した状態の正面図である。
【図２】その断面図である。
【図３】起伏ゲートが倒伏した状態の断面図である。
【図４】この発明の水密ゴムを取り付けた鋼製扉体側端部における側面水密部の断面図である。
【図５】従来例の水密ゴムを取り付けた鋼製扉体側端部における側面水密部の断面図である。
【符号の説明】
１　鋼製扉体
２　雌ネジ
３　押え板
４　ボルト
５　側面水密ゴム
６　先端
７　側面戸当金物
８　補強繊維
９　コンクリート
１０　アンカーボルト
１１　固定台兼用押え板
１２　空気袋
１３　開いた辺
１４　ボルト
１５　押え板
１６　定着ゴム板
１７　ボルト
１８　押え板
１９　丸棒鋼
２０　口金
２１　空気管
２２　手動弁
２３　流量調整弁
２４　空気圧縮機
２５　手動弁
２６　流量調整弁
２７　空気放出口
２８　アンカーボルト
２９　押え板
３０　引留帯
３１　ボルト
３２　押え板
３３　折曲部
３４　支持台
３５　隙間
４１　水密ゴム
４２　先端部
４３　鋼製扉体
４４　側面戸当金物
【図１】
2004027769.tif 000003
【図２】
2004027769.tif 000004
【図３】
2004027769.tif 000005
【図４】
2004027769.tif 000006
【図５】
2004027769.tif 000007